(57)【特許請求の範囲】
【請求項１】
細径蛍光管のジュメット線から形成された電極端子が絶縁被覆されたフラット導体からなる平形配線材の端部に接続された細径蛍光管の電極端子の接続構造であって、前記電極端子は、切断端の断面が短径Ｄ１、長径Ｄ２の楕円型のピン端子であり、前記平形配線材の端部は、前記フラット導体の端部が露出されているとともに、前記ピン端子を挿入して半田接続する端子孔を有し、該端子孔は、直径Ｗ１の円形孔と前記フラット導体の長手方向における前記円形孔の両側に連通されたスリット幅Ｗ３でスリット両側の端部間距離Ｗ２のスリット孔とよりなる鍵穴形状であり、
Ｗ２≧Ｄ２＞Ｗ１≧Ｄ１＞Ｗ３
なる関係を有しており、前記ピン端子が前記端子孔に挿入されて弾性保持された状態で半田接続されていることを特徴とする細径蛍光管の電極端子の接続構造。
【請求項２】
露出された前記フラット導体の両側縁部に前記絶縁被覆の一部が張出していることを特徴とする請求項１に記載の細径蛍光管の電極端子の接続構造。
【発明の詳細な説明】
【０００１】
【発明の属する技術分野】
本発明は、細径蛍光管のジュメット線から形成された電極端子が平形配線材のフラット導体に接続された細径蛍光管の電極端子の接続構造に関する。
【０００２】
【従来の技術】
ノート型パソコンの液晶ディスプレイのバックライト等に用いるような細径蛍光管（冷陰極管）は、その電極にジュメット線が用いられ、蛍光管の両端部からピン状に外部に突出させて、電源供給用の電極端子とされている。この電極端子は、細幅のフラット導体を絶縁材により被覆してなる平形配線材の端部に、半田付けにより電気的に接続される。
【０００３】
電子機器の小型化に伴って、平形配線材の幅も２ｍｍ以下のものが用いられ、細径蛍光管のジュメット線の太さも直径で０．４ｍｍ〜０．８ｍｍ程度と細いものとなっている。また、接続に際しては、蛍光管保護のため半田付けで長時間の加熱しない、接続抵抗は小さく簡単に外れない接続強度を有し、作業性を良くして低コスト化等が求められている。
【０００４】
図８および図９に、従来のこの種の電気接続を行なう例を示す。図中、１は平形配線材、２は端子部、３は絶縁被覆、４は端子孔、５は細径蛍光管、６は細径蛍光管端子を示す。平形配線材１は、導電性のよいフラット導体の両面を絶縁被覆３で被覆して構成され、その端部で片面側の絶縁被覆３を除去してフラット導体の端部を露出させ、端子部２を形成している。細径蛍光管５は、両端にジュメット線からなる電極を貫通させ、気密封止して構成されている。細径蛍光管５の端部から突き出る部分は、ピン端子６とされて平形配線材１の端子部２に電気接続される。
【０００５】
ピン端子６と端子部２の接続は、図８では、端子部２を導体露出面が外側になるように鋭角に屈曲し、端子部２の導体面にピン端子６を平行におき、半田付けすることにより行なわれる。この接続形態は、線接触による接続となるため接続強度が弱く、機械的固定を確保するためには所定の接続長さが必要である。また、接続に際して、ピン端子６の位置決めと接続面の密着を行なうための特別な治具が必要とし、作業性が劣るという問題がある。
【０００６】
これに対し、図９の例は、端子部２に円形の端子孔４を形成し、この端子孔４にピン端子６を挿入し、半田付けを行なっている。端子孔４とピン端子６との嵌合により、接続のための仮保持が形成され、位置決めもされるため、特別の治具を用いる必要はない。また、半田付けは、ピン端子６と端子孔４の嵌合部分で行なわれるため、ピン端子６は端子孔４に嵌合できる程度の長さがあればよい。
【０００７】
しかしながら、細径蛍光管のピン端子６は、比較的ラフな精度で形成され、端部の切断面も精密仕上げされたものではない。したがって、ピン端子の形状は正確なものではなく、また、太さも必ずしも一定しておらず、円形のものもあれば楕円のものもあり、ピン端子６と端子孔４との嵌合が容易ではない。
【０００８】
これを解決するために、端子孔４の孔径を予めピン端子径より大き目に形成すると、端子部での半田付け面積が減少することに加え、ピン端子６が外れやすくて半田接続も上手くいかず、接続が不安定になる。他方、端子孔４の孔径をピン端子の径より小さ目に形成すると、今度は、ピン端子６と端子孔４との嵌合がしにくくなり、無理に嵌合させると端子孔が欠損して歩留まりを悪化させ、生産性に問題がある。
【０００９】
【発明が解決しようとする課題】
本発明は、上述した事情に鑑みてなされたもので、治具を用いることなく、また、ピン端子の太さや形状が多少異なる場合にも、確実な電気接続が形成できる細径蛍光管の電極端子の接続構造を提供することを課題とするものである。
【００１０】
【課題を解決するための手段】
本発明は、細径蛍光管のジュメット線から形成された電極端子が絶縁被覆されたフラット導体からなる平形配線材の端部に接続された細径蛍光管の電極端子の接続構造であって、前記電極端子は、切断端の断面が短径Ｄ１、長径Ｄ２の楕円型のピン端子であり、前記平形配線材の端部は、前記フラット導体の端部が露出されているとともに、前記ピン端子を挿入して半田接続する端子孔を有し、該端子孔は、直径Ｗ１の円形孔と前記フラット導体の長手方向における前記円形孔の両側に連通されたスリット幅Ｗ３でスリット両側の端部間距離Ｗ２のスリット孔とよりなる鍵穴形状であり、
Ｗ２≧Ｄ２＞Ｗ１≧Ｄ１＞Ｗ３
なる関係を有しており、前記ピン端子が前記端子孔に挿入されて弾性保持された状態で半田接続されていることを特徴とするものである。
【００１１】
【発明の実施の形態】
図１〜図３により、本発明の実施の形態を説明する。図中、１は平形配線材、２は端子部、２ａは撓み片、３は絶縁被覆、３ａ，３ｂは張出し部、４は端子孔、４ａは円形孔、４ｂはスリット孔、６，６’，６”はピン端子を示す。平形配線材１自体は、図８および図９で説明したものと同じものを用いる。本発明は、端子部２の端子孔４を端子孔周縁の長さがピン端子６，６’，６”の外周長さより長くするとともに、端子孔４の一部が弾性的に撓んでピン端子を弾性保持するような形状で構成するものである。
【００１２】
図１は、端子孔周縁の長さを長くし、かつ弾性的な撓み部分を備える形状として、端子孔を４を円形孔４ａと溝状のスリット孔４ｂを組合せた鍵穴形状で形成した例を示すものである。
【００１３】
図１（Ａ）に示す端子部２は、フラット導体の両面を被覆している絶縁被覆３の一方の端部を単に除去して導体面を露出させ、他方の被覆を張出し部３ａとして残した形状のものである。図１（Ｂ）に示す端子部２は、前記張出し部の一部を切断して、導体の側面からわずかに張出す張出し部３ｂとした形状のものである。張出し部３ａ、３ｂは、円形孔４ａの大きさに対して導体幅が十分確保できないような場合に端子部の強度補強に有効である。図１（Ｃ）に示す端子部２は、張出し部３ａ、３ｂを有しない形状のものである。いずれの形状の端子部２も同じ端子孔４で形成することができる。
【００１４】
図２は、平形配線材１が接続される蛍光管端部のジュメット線からなるピン端子６の形状を示す。図２（Ａ）は、断面円形のピン端子６を示し、図２（Ｂ）は、断面が非円形の楕円に近い形状のピン端子６’を示し、図２（Ｃ）は予備半田を付与したコブのあるピン端子を示している。円形のピン端子６は、直径が０．４ｍｍ〜０．８ｍｍ程度のもので、切断端がペンチのような工具で切断すると、図２（Ｂ）のような非円形のピン端子６’に断面が変形することがある。図１は、このようなピン端子６、６’または６”のいずれにも容易に接続できるようにしたものである。
【００１５】
図３は、図１（Ａ）に示す形状の端子部の詳細を示す図で、図３（Ａ）は平面図、図３（Ｂ）は楕円のピン端子６’を嵌合させた状態を示す図である。端子部２の露出された導体面は、長さＬで幅Ｈである。端子孔４は、この端子部２の露出された導体面内に収まるように、直径がＷ１の円形孔４ａの両側に、端部間距離がＷ２で幅がＷ３のスリット孔４ｂを連通するように形成される。
【００１６】
楕円形のピン端子６’は、図３（Ｂ）で示すように短径をＤ１、長径をＤ２として端子孔４に嵌合する。この場合、ピン端子６’の短径Ｄ１と長径Ｄ２が端子孔４のＷ１とＷ２に等しいとすれば、楕円外形と端子孔４とで区分けされる撓み片２ａが折り曲げられることで、ピン端子６’との嵌合を許容する。折り曲げられた撓み片２ａは、ピン端子６’の周囲に弾性的に接し、ピン端子を保持するように作用する。ピン端子６’と撓み片２ａを含む端子部２は、半田付けにより接続固定される。
【００１７】
図３において、円形のピン端子６が嵌合される場合、ピン端子外径が円形孔４ａの直径Ｗ１に等しければ、円形孔４ａにより保持される。ピン端子外径が円形孔４ａの直径Ｗ１より大きければ、スリット孔４ｂにより円形孔４ａの拡大を許容し、嵌合を行なうことができる。楕円形のピン端子６’と端子孔４の間では、Ｗ２≧Ｄ２＞Ｗ１≧Ｄ１＞Ｗ３の関係が得られるように形成することが好ましい。なお、Ｗ３はゼロ（単に切れ目を入れただけ）であってもよい。
【００１８】
図４および図５は、他の実施の形態を示すもので、いずれも図１（Ａ）の張出し部３ａを有する形状で示してあるが、図１（Ｂ）の張出し部３ｂを有する形状、および図１（Ｃ）の張出し部を有しない形状で形成してもよい。
【００１９】
図４（Ａ）は、端子孔４を円と直線からなる楕円長孔で形成したものである。この楕円長孔の場合、長辺が弾性的に撓んでピン端子を弾性保持する。図４（Ｂ）は、端子孔４が円形孔４ａと一つの先細り状のスリット孔４ｂを組合せた形状のものである。図４（Ｃ）は、円形孔４ａと一つのスリット孔４ｂを組合せた形状で、図１に示したスリット孔を片側のみに形成した形状のものである。図４（Ｂ）および図４（Ｃ）に示す形状のものは、スリット孔４ｂが片側だけであるので、楕円ピン端子の長径側が大きい場合は不向きである。
【００２０】
図５の実施の形態は、端子孔の一部に切り込みを入れた開放形状の例を示し、ピン端子の側面からの嵌合も可能とするものである。したがって、図５に示す形状の端子孔を、以下、開放端子孔という。図５（Ａ）に示す開放端子孔４ｃは、図４（Ａ）の楕円長孔の側端部を孔幅で切り落として端部を開放した形状のものである。この開放端子孔４ｃは、ピン端子の外径より孔幅を小さく形成することで、両側の端子部片２ｂがピン端子を弾性的に挟み、その弾性力で仮保持して半田付けする。
【００２１】
図５（Ｂ）に示す開放端子孔４ｄは、長孔の開放端部を孔幅より小さい幅で切り落とした形状のものである。この開放端子孔４ｄは、図５（Ａ）の開放端子孔４ｃと同様に、両側の端子部片２ｂでピン端子を弾性的に挟み保持するものであるが、開放端子孔４ｃと比べて端部の開放幅が狭くなっているため、ピン端子の抜け出しを抑止することができる。
【００２２】
図５（Ｃ）に示す開放端子孔４ｅは、円形孔の一部を円形孔直径より小さい幅で切り落とした形状のものである。円形孔より大きいピン端子を端子部片２ｂの弾性的に挟んで保持する。円形のピン端子との接続に適しているが、楕円のピン端子であっても長径側が大きくなければ接続可能である。
【００２３】
図６および図７は、本発明の平形配線材の製造方法を示す。図中、１２はフラット導体、１３は絶縁シート、１４はユニット配線材、１５はガイドピンを示し。その他については図１の説明で用いた符号と同じ符号を用い詳細説明を省略する。
【００２４】
図６は、多数のフラット導体１２を絶縁シート１３で被覆したユニット配線材１４の製造方法を示す。図６（Ａ）は、ユニット配線材１４を形成するラミネート方法を示す図である。フラット導体１２は、導電性のよい銅，アルミ，銅合金，アルミ合金等の導体箔が用いられる。このフラット導体１２を所定のピッチで平行に配列させた状態で、その両面から可撓性で弾性のある絶縁シート１３がラミネートされる。絶縁シート１３には、予め開口部１３ａまたは１３ｂが形成しておく。上側の絶縁シート１３の開口部１３ａは、開口幅Ｌａとし、下側の絶縁シート１３の開口部１３ｂは、幅Ｌａより小さい幅Ｌｂとする。
【００２５】
図６（Ｂ）は、フラット導体１２と絶縁シート１３をラミネートした後、周縁部を切断した状態を示す。絶縁シート１３の開口部１３ａの幅Ｌａは、フラット導体１２の上面側の露出長さとなり、絶縁シート１３の開口部１３ｂの幅Ｌｂは、フラット導体１２の下面側の露出長さとなる。（Ｌａ−Ｌｂ）は、端子部を形成する露出導体の下面側の支持部および張出し部１３ｃを形成する。
【００２６】
図６（Ｃ）は、数本のフラット導体単位のユニット配線材１４に分断した状態を示す。ユニット配線材１４は、本発明の端子部を形成する端部（図の右側）で、フラット導体１２の端部が多少張出し部１３ｃから突き出るように分断される。
【００２７】
図７は、図６で形成されたユニット配線材１４から、端子部２の形成方法の例を示す図である。図７（Ａ）は、平形配線材１の最終形状を示す図で、端子部２は、図１（Ｂ）に示す張出し部３ｂを有する形状のものを示す。端子部２の端子孔４は、円形孔４ａの両側にスリット孔４ｂを形成した形状で、端子エッジ側のスリット孔を、他方のスリット孔より短か目に形成してある。
【００２８】
図７（Ｂ）は、端子孔４の打ち抜き状態を示す図である。端子孔４の打ち抜きには、絶縁シート１３の張出し部１３ｃから突き出るフラット導体１２の間にガイドピン１５を合わせて、ユニット配線材１４の位置決めをして行なう。図７（Ｃ）は、端子部２と端子部両側の張出し部３ｂを残して、他の部分をを打ち抜きにより除去する状態を示す。ガイドピン１５は、図７（Ｂ）での端子孔打ち抜きに引続いて、打ち抜きの位置決めに利用する。最終的には、ユニット配線材１４を単心配線材１に分断するが、必要に応じて複数本のフラット導体からなる多心配線材としてもよい。
【００２９】
【発明の効果】
以上の説明から明らかなように、本発明によれば、細径蛍光管のジュメット線から形成された電極端子が絶縁被覆されたフラット導体からなる平形配線材の端部に接続された細径蛍光管の電極端子の接続構造であって、前記電極端子は、切断端の断面が短径Ｄ１、長径Ｄ２の楕円型のピン端子であり、前記平形配線材の端部は、前記フラット導体の端部が露出されているとともに、前記ピン端子を挿入して半田接続する端子孔を有し、該端子孔は、直径Ｗ１の円形孔と前記フラット導体の長手方向における前記円形孔の両側に連通されたスリット幅Ｗ３でスリット両側の端部間距離Ｗ２のスリット孔とよりなる鍵穴形状であり、
Ｗ２≧Ｄ２＞Ｗ１≧Ｄ１＞Ｗ３
なる関係を有しており、前記ピン端子が前記端子孔に挿入されて弾性保持された状態で半田接続されていることにより、接続端の断面が楕円形の細径蛍光管のジュメット線から形成された電極端子を、端子孔を拡大して弾性的に仮保持できるので、特別な治具を用いることなく半田付けを容易に行なうことができ、この結果、半田付けによる加熱時間も短かく作業性も向上させることができる。
【図面の簡単な説明】
【図１】本発明の実施の形態を示す端子孔と端子部の図である。
【図２】本発明の端子と接続されるピン端子の図である。
【図３】本発明の端子孔とピン状端子との嵌合状態を示す図である。
【図４】本発明の他の実施の形態を示す端子孔の図である。
【図５】本発明のその他の実施の形態を示す端子孔の図である。
【図６】本発明の配線材の製造方法を説明する図である。
【図７】本発明の端子部の製造方法を説明する図である。
【図８】従来の技術を説明する図である。
【図９】従来の他の技術を説明する図である。
【符号の説明】
１…平形配線材、２…端子部、３…絶縁被覆、３ａ，３ｂ…張出し部、４…端子孔、４ａ…円形孔、４ｂ…スリット孔、５…細径蛍光管、６，６’，６”…ピン端子。
【図１】
0003539393.tif 000002
【図２】
0003539393.tif 000003
【図３】
0003539393.tif 000004
【図４】
0003539393.tif 000005
【図５】
0003539393.tif 000006
【図６】
0003539393.tif 000007
【図７】
0003539393.tif 000008
【図８】
0003539393.tif 000009
【図９】
0003539393.tif 000010